(57)【特許請求の範囲】
【請求項１】
放送局から伝送される、デジタルデータと前記デジタルデータと対応付けられた第１のキーデータとを含む伝送信号を受信する受信手段と、
前記受信手段により受信された前記伝送信号を記録すると共に、記録された前記伝送信号を再生する記録再生手段と、
使用者が所望するジャンルをクリッピングする指令を入力する入力手段と、
前記記録再生手段により再生された前記伝送信号から前記第１のキーデータを抽出する抽出手段と、
前記入力手段より入力された前記指令に対応して、前記記録再生手段により再生された前記伝送信号から所望デジタルデータをクリッピングするクリッピング手段と、
前記放送局に前記デジタルデータを提供する情報提供者が有する他の装置との通信を行い、前記他の装置から、前記クリッピング手段によりクリッピングされた前記所望デジタルデータを少なくとも利用可能とする、前記情報提供者が直接提供する第２のキーデータが伝送されてきた場合、前記第２のキーデータを検出する通信手段と、
前記通信手段により検出された前記第２のキーデータを記憶する記憶手段と、
前記抽出手段により抽出された前記第１のキーデータであって、前記クリッピング手段によりクリッピングされた前記所望デジタルデータを利用するために用いられる前記第１のキーデータと、前記記憶手段に記憶された前記第２のキーデータとを比較する比較手段と、
前記比較手段により比較された前記第１のキーデータと前記第２のキーデータが一致している場合に、前記クリッピング手段によりクリッピングされた前記所望デジタルデータの出力を許可する出力手段と
を備え、
前記記録再生手段はさらに、前記出力手段により出力が許可された前記所望デジタルデータの利用履歴情報を記録する記録手段を有する
ことを特徴とする受信装置。
【発明の詳細な説明】
【０００１】
本発明は、所定の画像データを有料で利用させる場合に用いて好適な受信装置に関する。
【０００２】
【従来の技術】
最近、有料放送が普及しつつある。我国において行われている有料放送の代表的な例は、画像信号をスクランブルして電波で放送するものである。このスクランブルされた画像の視聴を希望する者は、専用のデコーダを購入するとともに、情報提供者に対して視聴の申込を行う。情報提供者は、視聴の申込があった者に対して、放送電波を介してデスクランブルのためのキー信号を送信する。このキー信号は、申込をした者が所持するデコーダにおいて記憶され、以後、そのデコーダにより、スクランブルされた画像をデスクランブルし、視聴することができるようになる。
【０００３】
そして、申込者は、情報提供者に対して、毎月、一定の金額を支払うことになる。
【０００４】
【発明が解決しようとする課題】
従来の装置においては、このように、申込を行うと、全てのスクランブルされている画像の視聴が可能となり、より細かい単位で視聴を可能にすることができない課題があった。
【０００５】
本発明はこのような状況に鑑みてなされたものであり、より細かい単位で、所定の情報を有料で利用させるようにするものである。
【０００６】
【課題を解決するための手段】
本発明の受信装置は、放送局から伝送される、デジタルデータと前記デジタルデータと対応付けられた第１のキーデータとを含む伝送信号を受信する受信手段と、
前記受信手段により受信された前記伝送信号を記録すると共に、記録された前記伝送信号を再生する記録再生手段と、使用者が所望するジャンルをクリッピングする指令を入力する入力手段と、前記記録再生手段により再生された前記伝送信号から前記第１のキーデータを抽出する抽出手段と、前記入力手段より入力された前記指令に対応して、前記記録再生手段により再生された前記伝送信号から所望デジタルデータをクリッピングするクリッピング手段と、前記放送局に前記デジタルデータを提供する情報提供者が有する他の装置との通信を行い、前記他の装置から、前記クリッピング手段によりクリッピングされた前記所望デジタルデータを少なくとも利用可能とする、前記情報提供者が直接提供する第２のキーデータが伝送されてきた場合、前記第２のキーデータを検出する通信手段と、前記通信手段により検出された前記第２のキーデータを記憶する記憶手段と、前記抽出手段により抽出された前記第１のキーデータであって、前記クリッピング手段によりクリッピングされた前記所望デジタルデータを利用するために用いられる前記第１のキーデータと、前記記憶手段に記憶された前記第２のキーデータとを比較する比較手段と、前記比較手段により比較された前記第１のキーデータと前記第２のキーデータが一致している場合に、前記クリッピング手段によりクリッピングされた前記所望デジタルデータの出力を許可する出力手段とを備え、前記記録再生手段はさらに、前記出力手段により出力が許可された前記所望デジタルデータの利用履歴情報を記録する記録手段を有することを特徴とする。
【００１１】
上記構成の受信装置においては、放送局から伝送されて受信装置に記録された伝送信号のうち、ユーザからの指令に対応して、そのユーザの所望デジタルデータがクリッピングされる。そして、放送局にデジタルデータを提供している情報提供者が有する他の装置から伝送されてきた第２のキーデータであって、少なくとも所望デジタルデータを使用可能にする第２のキーデータと、放送局から伝送された伝送信号に所望デジタルデータと共に含まれていた第１のキーデータとが一致していると判定されたとき、クリッピングされた所望デジタルデータの出力許可がなされる。そして、出力許可がなされた所望デジタルデータの利用履歴情報が記録される。従って、より細かい単位でのデジタルデータを有料化し、利用させることが可能となる。
【００１２】
【発明の実施の形態】
図１は、本発明の画像表示制御装置の一実施例の構成を示すブロック図である。同図に示すように、この実施例においては、情報提供者が所定の情報を放送局に供給する。そして、放送局がこの情報を電波あるいはケーブルを介して各家庭に放送（伝送）する。この伝送信号の中には、スクランブルされていない通常の映像信号や、スクランブルされた映像信号と、このスクランブルを解くデスクランブルデータとが含まれている。あるいはまた、所定の画像、テキストなどよりなるデジタルデータと、このデジタルデータを利用するためのキーデータとが含まれている。
【００１３】
各家庭には受信装置１が配置され、そのアンテナ２で放送局が放送する電波を受信し、受信機３に供給するようになされている。勿論、放送局がケーブルを介して伝送信号を伝送してくる場合においては、この伝送信号が受信機３に直接供給される。
【００１４】
受信機３は伝送信号を受信し、映像信号をデスクランブラ４に供給するとともに、デジタルデータをデータデコーダ６に供給する。データデコーダ６は、入力されたデジタルデータをデコードし、ＨＤＤ（ハードディスクドライブ）７に供給し、記録させるようになされている。
【００１５】
キーデータ抽出回路９は、データデコーダ６の出力あるいはＨＤＤ７の再生出力から、キーデータを抽出し、その抽出結果を比較回路１１に出力するようになされている。クリッピング回路８は、データデコーダ６の出力あるいはＨＤＤ７の再生出力から、所望のデジタルデータをクリッピングし、スイッチ１２を介して、加算器５に出力するようになされている。
【００１６】
入力装置１０は、後述するようにして入力されるキーデータを、比較回路１１に出力するようになされている。そして、比較回路１１は、キーデータ抽出回路９と入力装置１０より供給されるキーデータを比較し、その比較結果に対応して、スイッチ１２を制御するようになされている。
【００１７】
また、入力装置１０は、使用者からの指令に対応して、所定の選択信号をクリッピング回路８とキーデータ抽出回路９に出力するようになされている。
【００１８】
加算器５は、デスクランブラ４の出力とスイッチ１２の出力とを加算し、ＣＲＴ２１に出力、表示するようになされている。
【００１９】
図２は、入力装置１０の第１の実施例を表している。この実施例においては、入力装置１０が、プリペイドカード３１に対して読み取りと書き込みを行うカードリーダ３２と、このカードリーダ３２に接続されているキーボード３３により構成されている。
【００２０】
プリペイドカード３１は、例えば、すべての放送局の放送、あるいは、所定の放送局のすべての放送に対して有効な汎用カードとしたり、所定の放送局の所定の放送のみに対して有効な専用カードとすることができる。
【００２１】
図３は、このカードリーダ３２の構成例を示している。この実施例においては、ＣＰＵ４１がＲＯＭ４２に記憶されているプログラムに従って各種の処理を実行するようになされている。そして、ＲＡＭ４３には、ＣＰＵ４１が各種の処理を実行する上において必要なデータなどが適宜記憶されるようになされている。
【００２２】
インタフェース４４には、プリペイドカード３１を所定の位置に駆動するカード駆動部４６と、このプリペイドカード３１に対する読み取りと書き込みを行う読取書込部４５が接続されている。さらに、このインタフェース４４には、比較回路１１へキーデータを出力する出力回路４７と、上述したキーボード３３が接続されている。
【００２３】
次に、その動作について説明する。受信機３は、アンテナ２あるいはケーブルを介して伝送される伝送信号を受信し、映像信号をデスクランブラ４に供給する。デスクランブラ４は、受信機３より入力される映像信号がスクランブルされていない場合においては、その映像信号をそのまま加算器５を介してＣＲＴ２１に出力し、表示させる。
【００２４】
一方、使用者は、デスクランブルされている映像信号を視聴する場合においては、情報提供者に対して視聴の申込を予め届けておく。このようにすると、その使用者のデスクランブラ４に対して、映像信号とともにデスクランブルデータが伝送されてくる。デスクランブラ４は、このデスクランブルデータを分離、抽出し、このデスクランブルデータを用いて、スクランブルされている映像信号をデスクランブルする。そして、このデスクランブルされた映像信号が加算器５を介してＣＲＴ２１に出力され、表示される。
【００２５】
デジタルデータを利用する場合、使用者は、図４のフローチャートに示す処理を実行する。即ち、最初にステップＳ１において、入力装置１０のキーボード３３を操作して、伝送信号をリアルタイムで受信するのか、あるいは、一旦ＨＤＤ７に記録するのかを選択、入力する。カードリーダ３２のＣＰＵ４１は、キーボード３３からの指令に対応して、この選択信号をキーデータ抽出回路９に出力する。
【００２６】
データデコーダ６は、受信機３より入力されるデジタルデータをデコードし、リアルタイム受信が指令されている場合においては、そのデコード出力をクリッピング回路８とキーデータ抽出回路９に出力する。これに対して、ＨＤＤ７に対する記録が指令されている場合においては、データデコーダ６のデコード出力はＨＤＤ７に供給され、記録される。そして、ＨＤＤ７より再生されたデジタルデータが、クリッピング回路８とキーデータ抽出回路９に供給される。
【００２７】
ステップＳ２において、キーデータ抽出回路９は、データデコーダ６のデコード出力あるいはＨＤＤ７の再生出力から、キーデータを抽出する。
【００２８】
次にステップＳ３に進み、使用者は、入力装置１０のキーボード３３を操作して、デジタルデータのうち、所望のジャンルをクリッピングする。これにより、例えば天気予報、天気予報の中でも特定の地方の天気予報などをクリッピングすることができる。この他、ゴルフ場の予約を行うための情報、所定のゲームのソフトなどを適宜クリッピングすることができる。クリッピング回路８によりクリッピングされた情報は、スイッチ１２に供給される。
【００２９】
次にステップＳ４に進み、入力装置１０において、キーデータの入力処理を実行する。
【００３０】
図５のフローチャートは、この入力処理の例を表している。同図に示すように、最初にステップＳ１１において、カードリーダ３２に対して、プリペイドカード３１が装着されるまで待機し、プリペイドカード３１がカードリーダ３２に装着されたとき、ステップＳ１２に進み、カードを所定の読取位置へ駆動させる処理が実行される。即ち、カード駆動部４６は、プリペイドカード３１を、読取書込部４５により、読み取りと書き込みが行われる位置へ移動させる。
【００３１】
次にステップＳ１３に進み、読取書込部４５は、プリペイドカード３１に記憶されている残金を読み取り、その読み取り結果をＣＰＵ４１に出力する。このプリペイドカード３１は、使用者が情報提供者に所定の金額を支払うことにより購入するものであり、未使用の状態においては、その支払った金額に対応する残金がプリペイドカード３１に記憶されている。
【００３２】
そこでステップＳ１４において、ＣＰＵ４１は、プリペイドカード３１の残金が残っているか否かを判定する。残金が残っている場合においては、ステップＳ１５に進み、キーデータ出力処理が実行される。即ち、ＣＰＵ４１は、ＲＯＭ４２に予め記憶されているキーデータを読み出し、インタフェース４４および出力回路４７を介して、比較回路１１に出力させる。
【００３３】
比較回路１１には、上述したように、キーデータ抽出回路９より抽出されたキーデータが入力されている。比較回路１１は、入力装置１０より入力されたキーデータと、このキーデータ抽出回路９より抽出されたキーデータとを比較し、両者が一致するとき、スイッチ１２をオンさせる。その結果、クリッピング回路８によりクリッピングされた情報が、スイッチ１２と加算器５を介してＣＲＴ２１に出力され、表示される。
【００３４】
次にステップＳ１６に進み、プリペイドカード３１の残金を一定の金額だけ減額した値に更新させる。即ち、ＣＰＵ４１は、読取書込部４５を制御し、プリペイドカード３１の残金から一定の金額を減額した残金を新たな残金として、プリペイドカード３１に記憶させる。
【００３５】
次にステップＳ１７において、予め設定した一定の時間が経過するまで待機し、一定の時間が経過したとき、ステップＳ１８に進み、キーボード３３より、終了の指令が入力されているか否かが判定され、終了の指令が入力されていないと判定された場合においては、ステップＳ１４に戻り、それ以降の処理を繰り返し実行する。即ち、プリペイドカード３１に残金が残っている限りにおいて、使用者は、クリッピングした情報を利用することができる。
【００３６】
ステップＳ１８において、キーボード３３の操作により情報の利用の終了が指令されたと判定された場合、並びに、ステップＳ１４において、プリペイドカード３１の残金がなくなったと判定された場合においては、ステップＳ１９に進み、キーデータの出力を停止させる。即ち、ＣＰＵ４１は、ＲＯＭ４２に記憶されているキーデータの読み出しを停止する。これにより、比較回路１１には、入力装置１０からキーデータが入力されないことになる。そこで、比較回路１１はスイッチ１２をオフさせる。これにより、ＣＲＴ２１には、デジタルデータの情報が供給されなくなる。
【００３７】
図６は、図１の入力装置１０の他の構成例を示している。この実施例は、使用者が有するクレジットカードを用いて、料金の清算が行われる場合の装置である。
【００３８】
この実施例においては、ＣＰＵ５１がＲＯＭ５２に記憶されているプログラムに従って各種の処理を実行し、各種の処理を実行する上において必要なデータが、ＲＡＭ５３に適宜記憶されるようになされている。タイマ５４は、計時動作を行うようになされている。
【００３９】
インタフェース５５には、所定のデータを記録、再生するＨＤＤ５６、電話回線と所定の通信を行う通信回路５７、並びに比較回路１１に対してキーコードを出力する出力回路５９が接続されている。さらに、このインタフェース５５には、ＣＰＵ５１に対して各種の指令を入力するとき操作されるキーボード５８も接続されている。
【００４０】
次に、図７のフローチャートを参照して、入力装置１０が、図６に示すように構成されている場合の動作について説明する。最初にステップＳ３１において、使用者は、情報提供者に電話をし、自らが所有するクレジットカードの番号と電話番号を知らせる。情報提供者は、このクレジットカードと電話番号を確認した後、使用者に対してキーデータを教える。
【００４１】
ステップＳ３２において、使用者は、情報提供者から教えてもらったキーデータをキーボード５８を自ら操作することで入力し、これをＲＡＭ５３に記憶させる。
【００４２】
次にステップＳ３３に進み、キーデータを比較回路１１に出力する処理が実行される。即ち、ＣＰＵ５１は、ＲＡＭ５３に記憶されたキーデータを読み出し、インタフェース５５および出力回路５９を介して、比較回路１１に出力する。比較回路１１は、このキーデータと、キーデータ抽出回路９より入力されるキーデータとを比較し、これらのキーデータが一致するとき、スイッチ１２をオンする。これにより、クリッピング回路８によりクリッピングされた情報が、スイッチ１２、加算器５を介してＣＲＴ２１に出力、表示される。
【００４３】
次にステップＳ３４において、タイマ５４が計時動作を行い、さらにステップＳ３５において、ＣＰＵ５１は、使用者より終了の指令が入力されたか否かを判定し、終了の指令が入力されていないと判定したとき、ステップＳ３３に戻り、それ以降の処理を繰り返し実行する。即ち、キーボード５８を操作して、使用者が終了を入力するまで、ステップＳ３３乃至Ｓ３５の処理が繰り返し実行される。この間、使用者は情報を利用することができる。
【００４４】
使用者がキーボード５８を操作して、情報利用の終了を指令すると、ステップＳ３５からステップＳ３６に進み、ＣＰＵ５１は、ＲＡＭ５３に記憶されたキーデータを消去させる。さらにステップＳ３７に進み、タイマ５４は計時動作を停止する。そしてステップＳ３８において、ＣＰＵ５１は、タイマ５４の計時時間をＨＤＤ５６に記録させる。このようにして、ＨＤＤ５６には、使用者が情報を利用した時間が記録されることになる。
【００４５】
尚、図７のフローチャートにおいては、ステップＳ３２において、使用者に、自らキーボード５８を操作して、キーデータを手動入力させるようにしたが、図８のフローチャートのステップＳ５２に示すように、情報提供者に電話回線を介して、キーデータを、使用者の入力装置１０のＲＡＭ５３に直接書き込ませるようにすることもできる。
【００４６】
即ち、図８のステップＳ５１において、使用者が情報提供者に対して電話をかけ、クレジットカードの番号と電話番号を通知すると、情報提供者は、この番号を確認した後、ステップＳ５２において、電話回線を介して、キーデータの書き込み処理を実行する。情報提供者の出力したキーデータは、電話回線を介して、入力装置１０の通信回路５７により検出され、これがインタフェース５５を介して、ＲＡＭ５３に記憶される。
【００４７】
その後、図７のステップＳ３３乃至Ｓ３８における場合と同様の処理が、図８のステップＳ５３乃至Ｓ５８において行われ、情報がＣＲＴ２１に出力、表示されるとともに、その視聴時間に対応する時間がＨＤＤ５６に記録される。
【００４８】
入力装置１０が、図６の実施例のように構成されている場合、使用者のＨＤＤ５６に記録されている情報利用時間を読み取るために、情報提供者は、例えば図９に示すような提供者側装置７０を有している。
【００４９】
この提供者側装置７０のＣＰＵ７１は、ＲＯＭ７２に記憶されているプログラムに従って各種の処理を実行し、各種の処理を実行する上において必要なデータは、ＲＡＭ７３に適宜記憶される。インタフェース７４には、所定のデータなどを記録、再生するＨＤＤ７５が接続されており、このＨＤＤ７５には、各使用者の住所、氏名、電話番号、料金を引き落とす銀行の口座番号などが記録されている。また、インタフェース７４には、通信回路７６が接続され、この提供者側装置７０を電話回線に接続することができるようになされている。また、キーボード７７は、インタフェース７４を介してＣＰＵ７１に所定の指令を入力するとき操作されるようになされている。
【００５０】
この提供者側装置７０は、例えば月末に、図１０に示すような請求書発行処理を実行する。最初にステップＳ７１において、ＨＤＤ７５に登録されている使用者の入力装置１０にアクセスする。即ち、このＨＤＤ７５には、図７のステップＳ３１、または図８のステップＳ５１において通知を受けた電話番号が登録されており、ＣＰＵ７１は、このＨＤＤ７５に登録されている電話番号を読み出し、通信回路７６を制御し、この電話番号に対して、発呼動作を実行させる。提供者側装置７０より呼出しを受けた入力装置１０の通信回路５７は、この呼出しに対し応答する。これにより、提供者側装置７０と入力装置１０とが電話回線を介して接続されたことになる。
【００５１】
次にステップＳ７２に進み、提供者側装置７０のＣＰＵ７１は、入力装置１０のＨＤＤ５６に記録されている情報利用時間の１ヶ月分の合計値を読み取る処理を実行する。即ち、提供者側装置７０のＣＰＵ７１は、通信回路７６を介して、入力装置１０に対して、情報利用時間の読み出しを要求する。入力装置１０のＣＰＵ５１は、通信回路５７を介して、この要求を受けたとき、ＨＤＤ５６に記録されている１ヶ月分の情報利用時間を読み出し、通信回路５７を介して提供者側装置７０に出力する。提供者側装置７０のＣＰＵ７１は、この情報利用時間の供給を受けたとき、これをＨＤＤ７５に記録させる。
【００５２】
そしてステップＳ７３に進み、使用者の情報利用時間に対応する請求書を発行する処理を実行する。即ち、使用者に、その情報利用時間に対応する請求書を発行するとともに、予め登録されている銀行に対して、情報利用時間に対応する料金の引き落としを要求する。
【００５３】
以上のようにして、情報提供者は、多数の使用者に対して情報を提供し、その料金を個別に徴収することができる。
【００５４】
尚、プリペイドカードの発行、あるいは料金の徴収などは、情報提供者が直接行わず、情報提供者から依頼を受けた者が代行するようにしてもよいことはもとよりである。
【００５５】
また、上記実施例においては、ＨＤＤ７から再生したデータをクリッピング回路８によりクリッピングするようにしたが、先にクリッピングを行い、クリッピングされたデータのみをＨＤＤ７に記録するようにすることもできる。
【００５６】
【発明の効果】
以上の如く、本発明の受信装置によれば、クリッピングされたデジタルデータと共に伝送信号に含まれていた第１のキーデータと、放送局にデジタルデータを提供する情報提供者が有する他の装置から伝送されてきた第２のキーデータの比較結果に対応して、クリッピングされたデジタルデータを出力するようにしたので、様々な有料の情報を、細かい単位で各使用者に提供することが可能となる。
【図面の簡単な説明】
【図１】本発明の画像表示制御装置の一実施例の構成を示すブロック図である。
【図２】図１の入力装置１０の第１の実施例の構成を示すブロック図である。
【図３】図２のカードリーダ３２の構成例を示す図である。
【図４】図１の実施例の動作を説明するフローチャートである。
【図５】図４のステップＳ４の入力処理の第１の例を説明するフローチャートである。
【図６】図１の入力装置１０の第２の実施例の構成を示すブロック図である。
【図７】図６の実施例を用いた場合における図４のステップＳ４の処理を説明するフローチャートである。
【図８】図６の実施例を用いた場合における図４のステップＳ４の他の処理例を説明するフローチャートである。
【図９】情報提供者側装置の構成例を示すブロック図である。
【図１０】図９の実施例の動作を説明するフローチャートである。
【符号の説明】
１  受信装置
２  アンテナ
３  受信機
４  デスクランブラ
５  加算器
６  データデコーダ
７  ＨＤＤ
８  クリッピング回路
９  キーデータ抽出回路
１０  入力装置
１１  比較回路
１２  スイッチ
２１  ＣＲＴ
３１  プリペイドカード
３２  カードリーダ
３３  キーボード
４５  読取書込部
４６  カード駆動部
４７  出力回路
５６  ＨＤＤ
５７  通信回路
５８  キーボード
５９  出力回路
７５  ＨＤＤ
７６  通信回路
７７  キーボード
【図１】
0003975967.tif 000002
【図２】
0003975967.tif 000003
【図３】
0003975967.tif 000004
【図４】
0003975967.tif 000005
【図５】
0003975967.tif 000006
【図６】
0003975967.tif 000007
【図７】
0003975967.tif 000008
【図８】
0003975967.tif 000009
【図９】
0003975967.tif 000010
【図１０】
0003975967.tif 000011